(57)【要約】  【課題】  収納容量を確保するとともに国際安全規格を満足することのできる冷蔵庫を提供する。  【解決手段】  断熱材から成る外壁を有して前面を開口するとともに背面側下端の外壁を傾斜した傾斜部８を有する断熱箱体４と、断熱箱体４の下方に設けられて前面を開口するダクト９と、傾斜部８に面してダクト９の後方に設けられる機械室１５と、機械室１５に設置して冷凍サイクルを運転する圧縮機１０とを備えた冷蔵庫１において、傾斜部８に制御基板１２を収納する箱体から成る制御基板収納部１７を設けるとともに、制御基板収納部１２の下端を断熱箱体４の下端からダクト９内に突出して配置した。【選択図】      図５
2006220346.tif 000002
【特許請求の範囲】
【請求項１】
断熱材から成る外壁を有して前面を開口するとともに背面側下端の前記外壁を傾斜した傾斜部を有する断熱箱体と、前記断熱箱体の下方に設けられて前面を開口するダクトと、前記傾斜部に面して前記ダクトの後方に設けられる機械室と、前記機械室に設置して冷凍サイクルを運転する圧縮機と、前記傾斜部に設けられるとともに制御基板を収納する制御基板収納部とを備えたことを特徴とする冷蔵庫。
【請求項２】
前記制御基板収納部は前記傾斜部に取り付けられる箱体から成ることを特徴とする請求項１に記載の冷蔵庫。
【請求項３】
前記制御基板収納部の下端が前記断熱箱体の下端から前記ダクト内に突出したことを特徴とする請求項１または請求項２に記載の冷蔵庫。
【請求項４】
前記制御基板収納部内にコンデンサを備え、前記コンデンサを前記制御基板収納部の下部に配置したことを特徴とする請求項１〜請求項３のいずれかに記載の冷蔵庫。
【請求項５】
前記制御基板収納部内にトランスを備え、前記トランスを前記制御基板収納部の下部に配置したことを特徴とする請求項１〜請求項４のいずれかに記載の冷蔵庫。
【請求項６】
ドレン水を溜めて蒸発させる蒸発皿を前記圧縮機及び前記制御基板収納部の上方に設けたことを特徴とする請求項１〜請求項５のいずれかに記載の冷蔵庫。
【発明の詳細な説明】
【技術分野】
【０００１】
本発明は、制御基板を収納する制御基板収納部を機械室に設けた冷蔵庫に関する。
【背景技術】
【０００２】
従来の冷蔵庫は特許文献１に開示されている。この冷蔵庫は前面を開閉する扉が本体部に支持される。本体部は断熱材から成る外壁を有して前面を開口した断熱箱体を備えている。本体部の下部後方には圧縮機を設置する機械室が設けられる。機械室の背面には機械室カバーが設けられる。機械室カバーは機械室内に突出して形成され、外面側に各部を制御する制御基板が収納される。これにより、機械室内に制御基板を収納する制御基板収納部が設けられる。
【０００３】
制御基板の制御により圧縮機が駆動されると冷凍サイクルが運転され、冷凍サイクルの低温側となる冷却器との熱交換により冷気が生成される。該冷気によって断熱箱体内に設けられた貯蔵室の冷却が行われる。
【特許文献１】特開平１１−２１１３２１号公報（第３頁−第５頁、第２図）
【発明の開示】
【発明が解決しようとする課題】
【０００４】
国際安全規格IEC60335-1「家庭用及び類似用途の電気機器の安全性  パート１：一般要求」の１１．８項の表３には、コンデンサ（キャパシタ）の外面の温度上昇限度値は２０Ｋと規定されている。また、国際安全規格IEC60335-2-24「家庭用及び類似用途の電気機器の安全性  パート２：冷蔵類似機器及びアイスクリーム・製氷機器に関する個別要求」には、亜熱帯（周囲温度３８℃）または熱帯（周囲温度４３℃）クラスの機器の温度上昇限度値は上記表３の値から７Ｋ減じると規定されている。従って、亜熱帯または熱帯クラスでは制御基板に実装されるコンデンサの温度上昇を１３Ｋ以下にする必要がある。
【０００５】
しかしながら、上記従来の冷蔵庫によると、冷凍サイクルの高温側となる圧縮機によって機械室内は高温となる。このため、制御基板に実装される平滑用や雑音防止用のコンデンサの国際安全規格に対するマージンが小さくなり、より安全性を向上を図ることのできる冷蔵庫が求められていた。特に、中型以下の冷蔵庫では機械室が狭く温度上昇が著しいため国際安全規格を満足せず、制御基板収納部を機械室に設けることができなかった。一方、貯蔵室内に制御基板収納部を設けると、貯蔵物の収納容量が低下するとともに、制御基板から貯蔵室内に放熱して冷蔵庫の消費電力が増加する。このため、貯蔵室内にも制御基板収納部を設けることができず、中型以下の冷蔵庫では電子制御ができない問題があった。
【０００６】
本発明は、収納容量を確保するとともに安全性の高い冷蔵庫を提供することを目的とする。また本発明は収納容量を確保するとともに国際安全規格を満足することのできる中型以下の冷蔵庫を提供することを目的とする。
【課題を解決するための手段】
【０００７】
上記目的を達成するために本発明は、断熱材から成る外壁を有して前面を開口するとともに背面側下端の前記外壁を傾斜した傾斜部を有する断熱箱体と、前記断熱箱体の下方に設けられて前面を開口するダクトと、前記傾斜部に面して前記ダクトの後方に設けられる機械室と、前記機械室に設置して冷凍サイクルを運転する圧縮機と、前記傾斜部に設けられるとともに制御基板を収納する制御基板収納部とを備えたことを特徴としている。
【０００８】
この構成によると、制御基板の制御により圧縮機を駆動して冷凍サイクルが運転され、断熱箱体内の貯蔵室が冷却される。断熱箱体は断熱材により外壁が形成され、機械室は外壁の背面下端を傾斜した傾斜部により前方の貯蔵室と隔離される。圧縮機により昇温される空気は上昇し、下方のダクトを介して外気が機械室に流入する。制御基板収納部はダクトを流通して圧縮機で昇温される前の空気と熱交換して冷却される。制御基板に実装した電子部品の発熱により昇温される空気は上昇して一部が機械室から排気されるとともに一部が下降する。下降する空気は制御基板収納部が傾斜部に設けられるためダクトを介して下方から流入する空気との衝突が回避される。これにより、効率よく機械室内を空気が自然対流する。
【０００９】
また本発明は、上記構成の冷蔵庫において、前記制御基板収納部は前記傾斜部に取り付けられる箱体から成ることを特徴としている。
【００１０】
また本発明は、上記構成の冷蔵庫において、前記制御基板収納部の下端が前記断熱箱体の下端から前記ダクト内に突出したことを特徴としている。この構成によると、ダクトから取り込まれた外気が制御基板収納部に確実に接触する。
【００１１】
また本発明は、上記構成の冷蔵庫において、前記制御基板収納部内にコンデンサを備え、前記コンデンサを前記制御基板収納部の下部に配置したことを特徴としている。
【００１２】
また本発明は、上記構成の冷蔵庫において、前記制御基板収納部内にトランスを備え、前記トランスを前記制御基板収納部の下部に配置したことを特徴としている。
【００１３】
また本発明は、上記構成の冷蔵庫において、ドレン水を溜めて蒸発させる蒸発皿を前記圧縮機及び前記制御基板収納部の上方に設けたことを特徴としている。この構成によると、除霜等により蒸発皿に溜められたドレン水は圧縮機及び制御基板の放熱により蒸発が促進される。
【発明の効果】
【００１４】
本発明によると、断熱箱体の下方にダクトを有し、断熱箱体背面下端の傾斜部に制御基板収納部を設けたので、制御基板収納部はダクトを流通して圧縮機で昇温される前の空気と熱交換して冷却される。また、制御基板収納部を上昇して下降する空気とダクトを介して下方から流入する空気との衝突が回避され、効率よく機械室内を空気が自然対流する。これにより、制御基板収納部に内装される制御基板を効率よく冷却することができる。従って、安全性の高い冷蔵庫を提供することができる。また、貯蔵物の収納容積を減少させることなく国際安全規格を満足させることのできる中型以下の冷蔵庫を提供することができる。
【００１５】
また本発明によると、制御基板収納部は傾斜部に取り付けられる箱体から成るので、傾斜部に制御基板収納部を容易に設けることができる。
【００１６】
また本発明によると、制御基板収納部の下端が前記断熱箱体の下端からダクト内に突出するので、ダクトから取り込まれた外気が制御基板収納部に確実に接触して制御基板収納部をより効率よく冷却することができる。
【００１７】
また本発明によると、コンデンサやトランスを制御基板収納部の下部に配置したので、圧縮機の放熱により上昇する空気からコンデンサやトランスを離れて配置してコンデンサやトランスの温度上昇を更に抑制することができる。
【００１８】
また本発明によると、蒸発皿を圧縮機及び制御基板収納部の上方に設けたので、蒸発皿の面積を広くとることができ、ドレン水を迅速に蒸発して溢水を防止することができる。
【発明を実施するための最良の形態】
【００１９】
以下に本発明の実施形態を図面を参照して説明する。図１、図２は一実施形態の冷蔵庫を示す正面図及び側面断面図である。冷蔵庫１は断熱材により外壁を形成した断熱箱体４が本体側に設けられ、断熱箱体４の仕切壁５により仕切られた冷蔵室２及び冷凍室３を有している。冷蔵室２及び冷凍室３の前面は扉６、７によりそれぞれ開閉可能になっている。
【００２０】
上段に配される冷凍室３の後部には冷却器１３及び送風機１４が設けられる。冷蔵室２の下方には前面を開口するダクト９が設けられる。断熱箱体４の背面下端は外壁が傾斜した傾斜部８が形成される。傾斜部８を介して冷蔵室２と隔てられた後方にはダクト９と連通する機械室１５が設けられる。
【００２１】
機械室１５には冷凍サイクルを運転する圧縮機１０が配される。圧縮機１０の上方には除霜時のドレン水を溜めて蒸発させる蒸発皿１１が設けられる。圧縮機１０の前方には制御基板収納部１２が設けられる。制御基板収納部１２は傾斜部８に取付けられた箱体から成り、各部を制御する制御基板１７（図５参照）が収納される。また、機械室１５の背面上部には排気口１６が設けられる。
【００２２】
図３は機械室の平面図を示している。蒸発皿１１は傾斜部８（図２参照）に近接して設けられ、圧縮機１０及び制御基板収納部１２は蒸発皿１１の下方に配される。これにより、蒸発皿１１の面積を広く確保してドレン水を迅速に蒸発し、溢水を防止できるようになっている。尚、蒸発皿１１は清掃のため背面から引き出し可能になっている。
【００２３】
図４は冷蔵庫の概略回路図を示している。電源１８には圧縮機１０、送風機１４及び制御基板１７が並列に接続される。制御基板１７は圧縮機１０及び送風機１４と電源１８との間に配されたスイッチ１９の開閉を制御する。
【００２４】
上記構成の冷蔵庫１において、制御基板１７の制御によりスイッチ１９をＯＮすると圧縮機１０及び送風機１４が駆動される。圧縮機１０の駆動により冷凍サイクルが運転され、冷気通路（不図示）内を流通する空気が冷凍サイクルの低温側となる冷却器１３と熱交換して冷気が生成される。送風機１４によって該冷気は冷凍室３及び冷蔵室２に吐出され、冷凍室３及び冷蔵室２の室内が冷却される。
【００２５】
図５は機械室１５の詳細を示す側面断面図である。傾斜部８に設けられる制御基板収納部１２は断熱箱体４の下端からダクト９内に突出して配される。圧縮機１０（図２参照）の駆動によって昇温される空気は上昇して排気口１６（図２参照）から排気される。これにより、矢印Ａに示すようにダクト９から低温の外気が機械室１５内に流入する。
【００２６】
機械室１５に流入した外気は圧縮機１０と熱交換する前に、圧縮機１０よりも前方に配された制御基板収納部１２と接触して熱交換する。また、制御基板１７と熱交換して上昇する空気は一部が排気口１６（図２参照）から排気され、一部が矢印Ｂに示すように降下する。この時、制御基板収納部１２が傾斜して配置されるため、降下する空気と上昇する空気との衝突を回避して効率よく機械室１５内を空気が自然対流する。
【００２７】
これにより、制御基板収納部１２に内装される制御基板１７を効率よく冷却することができる。従って、安全性の高い冷蔵庫１を提供することができる。また、中型以下であっても貯蔵物の収納容積を減少させることなく国際安全規格を満足させることのできる冷蔵庫１を提供することができる。
【００２８】
また、制御基板収納部１２の下部がダクト９内に突出しているので制御基板収納部１２を確実に外気と接触させることができる。制御基板収納部１２に配される制御基板１７にはコンデンサ２１及びトランス２２が下部に実装されている。制御基板収納部１２の下部はダクト９内に突出するため、発熱体であるコンデンサ２１及びトランス２２を充分に冷却することができる。また、圧縮機１０の放熱により上昇する空気からコンデンサ２１やトランス２２を離れて配置してコンデンサ２１やトランス２２の温度上昇を更に抑制することができる。コンデンサ２１及びトランス２２が制御基板１７と別体に設けられていてもよい。
【産業上の利用可能性】
【００２９】
本発明によると、各部を制御する制御基板を備えた冷蔵庫に利用することができる。
【図面の簡単な説明】
【００３０】
【図１】本発明の実施形態の冷蔵庫を示す正面図
【図２】本発明の実施形態の冷蔵庫を示す側面断面図
【図３】本発明の実施形態の冷蔵庫の機械室を示す平面図
【図４】本発明の実施形態の冷蔵庫の概略回路図
【図５】本発明の実施形態の冷蔵庫の機械室を示す側面断面図
【符号の説明】
【００３１】
１    冷蔵庫
２    冷蔵室
３    冷凍室
４    断熱箱体
８    傾斜部
９    ダクト
１０    圧縮機
１１    蒸発皿
１２    制御基板収納部
１３    冷却器
１４    送風機
１５    機械室
１６    排気口
１７    制御基板
２１    コンデンサ
２２    トランス
【図１】
2006220346.tif 000003
【図２】
2006220346.tif 000004
【図３】
2006220346.tif 000005
【図４】
2006220346.tif 000006
【図５】
2006220346.tif 000007